(57)【要約】【課題】夜間でも容易に釣りをすることができる釣竿を提供する。【解決手段】この釣竿の穂先竿Ｒの穂先側端部にはトップガイド１０が装着されている。トップガイド１０の本体部１から穂先竿Ｒ内にむかって、電通棒５が穂先竿Ｒの内周面に接触しないように延びている。釣糸Ｌの先端の仕掛けに魚が係って穂先竿Ｒが屈曲すると、電通棒５が穂先竿Ｒの内周面に接触する。この電通棒５がスイッチとなって、穂先竿Ｒからトップガイド１０の本体部１を介して電電４から発光体６に電気が供給され、発光体６が発光する。【選択図】      図２
2004350531.tif 000002
【特許請求の範囲】
【請求項１】
竿体と、前記竿体の穂先側端部に連結されるトップガイドとを備え、
前記トップガイドは、前記竿体の穂先側に連結される前記竿体の軸方向に延びる本体部と、前記本体部の穂先側に連結されつつ起立しており貫通孔が設けられている起立部と、前記起立部の貫通孔にはめ込まれ釣糸が挿通可能な硬質リングと、前記本体部に配置される電源と、前記本体部に配置された可動部と、前記本体部に配置され前記電源と前記可動部を介して電気的に連結される発光体と有し、
前記可動部は前記電源との電気的連結を切断している切断状態及び前記電源と電気的に連結する電通状態とを採り得る、釣竿。
【請求項２】
竿体と、前記竿体の穂先側端部に連結される穂先部材とを備え、
前記穂先部材は、前記竿体の穂先側に連結される前記竿体の軸方向に延びる本体部と、前記本体部の穂先端部に設けられた釣糸を結びつけるための釣糸連結部と、前記本体部に配置される電源と、前記本体部に配置された可動部と、前記本体部に配置され前記電源と前記可動部を介して電気的に連結される発光体と有し、
前記可動部は前記電源との電気的連結を切断している切断状態及び前記電源と電気的に連結する電通状態とを採り得る、釣竿。
【請求項３】
前記竿体は炭素繊維強化樹脂製の筒状体であり、前記可動部は前記本体部から前記竿体内に挿入された導電棒材であって、
前記導電棒材は前記竿体内周面に接触しない姿勢をとって切断状態にあり、前記竿体が屈曲すると前記導電棒材が前記竿体の内周面に接触して通電状態となる、請求項１又は２に記載の釣竿。
【請求項４】
前記導電棒材は、金属棒，金属バネ，電導塗装を施した合成樹脂，若しくは炭素繊維強化樹脂製棒である、請求項３に記載の釣竿。
【請求項５】
前記本体部は穂先側端部に受け部分を有し、起立部は前記受け部分に当接可能に前記本体部の軸方向に揺動自在に連結されており、
前記起立部が前記可動部であって、前記起立部は前記受け部に接触しない姿勢をとって切断状態にあり、前記硬質リングを挿通する釣糸に力が加わると前記起立部は前記受け部に接触して通電状態となる、請求項１に記載の釣竿。
【発明の詳細な説明】
【０００１】
【発明の属する技術分野】
本発明は、竿体の穂先側端部に釣糸を案内するトップガイドが装着されている釣竿に関する。
【０００２】
【従来の技術】
近時の釣竿の多くは、炭素繊維やガラス繊維等の強化繊維に合成樹脂を含浸させたプリプレグと呼ばれる繊維強化樹脂から形成されている竿体を有している。この竿体の周面にはリールを装着するためのリールシートや、リールからの釣糸を順次穂先側に案内するための複数の釣糸ガイドが配置され、穂先側端部にはトップガイドが装着されている。そして、釣糸の先端に連結する仕掛けに魚がかかると、トップガイドや釣糸ガイドを介して、竿体がこれに反応して釣人に魚が仕掛けにかかったことを知らせると共に、魚からの力を受け止める。このように、トップガイド，釣糸ガイド及び竿体は、いわば、魚が仕掛けに係った際のアンテナのような役割をも果たしている。
【０００３】
ところで、夜間に釣りを行う場合は竿体の反応の釣人が目視できず、魚を引き上げるタイミングを上手くつかめないこともある。そこで、仕掛けを構成する「浮き」に発光手段をもうけ、「浮き」の発光で魚を引き上げるタイミングを図ることが行われている（特許文献１参照）。また、最も穂先側に位置する穂先竿の先端に発光体を取り付ける等して、竿体の反応を暗闇の中でも容易に認識し得るように工夫することも行われている（特許文献２参照）。
【０００４】
しかし、このような従来の発光浮きは水面に漂いながら発光しているのであり、水面のうねりや波などにも反応するため、必ずしも魚が仕掛けに係ったことを適格に釣人の知らしめるものではない。また、従来の穂先竿の先端に発光体を取り付けた釣竿では、発光体が常時発光しているのであり、釣人は穂先竿の動きを暗闇の中でも認識できるに留まる。そのため、魚が仕掛けに係った際の微妙な振動を釣人が上手く捉えきれない場合もある。
【０００５】
そこで、通常は発光せず、魚が仕掛けに係った際にのみ発光体が発光して、釣人に魚が仕掛けに係ったことを知らせるような釣竿を提供することが考えられる。
しかし、このように魚が仕掛けに係った場合にのみ発光体を発光させるようなスイッチを釣竿の穂先側に設けることは容易ではない。即ち、魚の振動を捉えるために極細経に形成されている釣竿の穂先側端部に、かかるスイッチ機構を設けるのは、複雑でコスト高になりがちである。
【０００６】
【特許文献１】
特開２００１−１１２６８５号公報
【０００７】
【特許文献２】
特開平８−３８００７号公報
【０００８】
【発明が解決しようとする課題】
本発明の課題は、簡易な構造で夜間等において仕掛けへの魚の微妙な「当たり」迄も釣人が容易に認識し得る釣竿を提供することにある。
【０００９】
【課題を解決するための手段】
本発明に関する釣竿は、竿体と、竿体の穂先側端部に連結されるトップガイドとを備える。トップガイドは、竿体の穂先側に連結される竿体の軸方向に延びる本体部と、本体部の穂先側に連結されつつ起立しており貫通孔が設けられている起立部と、起立部の貫通孔にはめ込まれ釣糸が挿通可能な硬質リングと、本体部に配置される電源と、本体部に配置された可動部と、本体部に配置され電源と可動部を介して電気的に連結される発光体と有している。そして、可動部は電源との電気的連結を切断している切断状態及び電源と電気的に連結する電通状態とを採り得る。
【００１０】
この釣竿では、例えば、釣竿の手元側の竿体の周面に配置されるリールシートからの釣糸を竿体周面に配置される釣糸ガイドを介して順次穂先側に導き、トップガイドの硬質リングからその釣糸を穂先側に導出して釣りを行う。この状態で、釣糸は硬質リングの内周面に軽く当接しつつ竿体の軸方向から折り曲がって水中に至っている。そして、可動部は切断状態にある。
【００１１】
釣糸の先端に連結される仕掛けに魚が係って魚から釣糸に力が加わると、これに応じて釣糸から硬質リングを介して力がトップガイド・竿体へと伝わり、竿体等が屈曲する。すると、可動部が動いて電源と電気的に連結する電通状態となる。この電通状態において電源からの電気の供給を受けた発光体が発光し、発光体が釣人に仕掛けに魚が係ったことを知らしめる。即ち、釣竿が魚の「当たり」を検知し、その「当たり」毎に発光体が発光して釣人に「当たり」を通知する。
【００１２】
また、別の釣竿は、竿体と、竿体の穂先側端部に連結される穂先部材とを備える。この穂先部材は、竿体の穂先側に連結される竿体の軸方向に延びる本体部と、本体部の穂先端部に設けられた釣糸を結びつけるための釣糸連結部と、本体部に配置される電源と、本体部に配置された可動部と、本体部に配置され前記電源と可動部を介して電気的に連結される発光体と有する。そして、可動部は電源との電気的連結を切断している切断状態及び電源と電気的に連結する電通状態とを採り得る。
【００１３】
この釣竿では、穂先部材の釣糸連結部に釣糸を連結して釣りをおこなうことになる。この状態では、可動部は切断状態にある。そして、釣糸の先端に連結される仕掛けに魚が係って魚から釣糸に力が加わると、これに応じて釣糸から穂先部材・竿体へと力が伝わり、竿体等が屈曲する。すると、可動部が動いて電源と電気的に連結する電通状態となる。この電通状態において電源からの電気の供給を受けた発光体が発光し、発光体が釣人に仕掛けに魚が係ったことを知らしめる。即ち、釣竿が魚の「当たり」を検知し、その「当たり」毎に発光体が発光して釣人に「当たり」を通知する。
【００１４】
本発明の別の釣竿においては、竿体は炭素繊維強化樹脂製の筒状体であり、可動部は本体部から竿体内に挿入された導電棒材である。この導電棒材は竿体内周面に接触しない姿勢をとって切断状態にあり、竿体が屈曲すると導電棒材が竿体の内周面に接触して通電状態となる。
この釣竿では、魚が仕掛けに係っていない際には、導電棒材は竿体内周面に接触せず切断状態を採っている。魚が仕掛けに係って、釣糸からの力がトップガイドや竿体に加わり、竿体が屈曲すると、導電棒材は炭素繊維強化樹脂製の竿体の内周面に接触して通電状態となる。即ち、竿体自体が電気的配線の一部を構成することになる。この電通状態において電源からの電気の供給を受けた発光体が発光し、発光体が釣人に仕掛けに魚が係ったことを知らしめる。即ち、釣竿が魚の「当たり」を検知し、その「当たり」毎に発光体が発光して釣人に「当たり」を通知する。なお、例えば、導電棒材は、金属棒，金属バネ，導電塗装を施したプラスチック若しくは炭素繊維強化樹脂製棒である。
【００１５】
さらに、本発明の別の釣竿では、本体部は穂先側端部に受け部分を有し、起立部は受け部分に当接可能に本体部の軸方向に向かって揺動自在に連結されており、この起立部が可動部である。この起立部は受け部に接触しない姿勢をとって切断状態にあり、硬質リングを挿通する釣糸に力が加わると起立部は受け部に接触して通電状態となる。
【００１６】
即ち、この釣竿では、魚が仕掛けに係っていない際には、起立部が受け部に接触せず切断状態を採っている。魚が仕掛けに係って、硬質リングを挿通する釣糸からの力が起立部に加わると、起立部は穂先側に向かって揺動して受け部に接触し、通電状態となる。この電通状態において電源からの電気の供給を受けた発光体が発光し、発光体が釣人に仕掛けに魚が係ったことを知らしめる。即ち、釣竿が魚の「当たり」を検知し、その「当たり」毎に発光体が発光して釣人に「当たり」を通知することになる。
【００１７】
【発明の実施の形態】
［第１実施形態］
本発明の第１実施形態を採用した釣竿を以下に示す。
図１及び図２に示すように、この釣竿は複数の竿体を連結して構成されており、複数の竿体の中で最も穂先側に位置する穂先竿Ｒの穂先側端部にトップガイド１０が装着されている。
【００１８】
各竿体は、例えば、最も竿元側に位置する太径の元竿の穂先側に中竿、穂先竿Ｒ等が任意の本数だけ配置され、各竿体は振出形式若しくは並継形式等の周知の連結手法によって連結される。元竿の周面にはリールを脱着自在に装着可能なリールシートが設けられ、各竿体の周面には軸方向に間隔を隔てて複数の釣糸ガイドが装着されている。そして、リールからの釣糸Ｌは順次釣糸ガイドに案内されてトップガイド１０へと至っている。なお、この穂先竿Ｒを含む各竿体は、炭素繊維等の強化繊維にエポキシ樹脂等の合成樹脂を含浸させたプリプレグ素材を焼成して形成される、先細りテーパの施された筒状体である。
【００１９】
トップガイド１０は、リールからの釣糸Ｌを釣竿の最も穂先側において案内するための部材である。詳しくは、トップガイド１０は、穂先竿Ｒの穂先側に連結される軸方向に平行な本体部１と、本体部１の穂先側に連結されつつ斜方向に起立しており貫通孔が設けられている起立部２と、起立部２の貫通孔にはめ込まれ釣糸Ｌが挿通可能な硬質リング３と、本体部１に配置される一対の電源４と、本体部から竿元側に延びる導電棒５と、本体部１内に収納された発光体６とを有している。
【００２０】
本体部１は、左右方向に扁平した略パイプ状部材であって、穂先竿Ｒの穂先側に連結されている。例えば、本体部１は硬質合成樹脂から形成され、その竿元側端部に穂先竿Ｒが挿入された状態で穂先竿Ｒの穂先側端部に装着されている。本体部１は絶縁素材から構成するのが好ましい。また、本体部１は、例えば、導電性の接着剤等によって脱着自在に本体部１を穂先竿Ｒに装着してもよいが、ねじ式若しくは嵌着式に脱着自在にすることも可能である。本体部１の穂先側部分は上方に開口しており、この開口に所定のカバーで蓋をするような構造になっている（図１参照）。本体部１に装着されるカバーは、例えば、ポリカーボネイト等の透明な硬質合成樹脂から構成するのが好ましい。この開口した本体部１の内部には後述の各種の部材が収納される。
【００２１】
本体部１の穂先側は斜め上方に折り曲げられて起立部２となっている。起立部２は本体部１と一体的に形成されており、頭端側に円形の貫通孔が板面に直交する方向に貫通している。そして、セラミックスなどの硬質素材から形成された硬質リング３がこの貫通孔に装着されている。硬質リング３は接着剤など任意の手法をもって起立部２に装着すれば足りる。硬質リング３は釣糸Ｌが挿通するリングであり（図２参照）、硬質リング３の内周面は釣糸Ｌとの接触を考慮して曲面化されている。
【００２２】
上述の本体部１にはカバーで蓋をされた内部に収納空間があり、電源４と、発光体６とが収納されている。電源４は例えば、図１に示すような１組のボタン型電池である。この１組のボタン型電池は電源ラインにより直列に連結されており、電源ラインは、発光体６から電源４を直列に連結し、さらに後述の導電棒５へと電気的に連結している。発光体６は、電源４の穂先側に収納されており、例えばＬＥＤ等である。発光体６は釣人が目視可能なように、本体部１の周面から一部が外部にはみ出すようにしてもよい。
【００２３】
また、図２に示すように、本体部１の竿元側には、竿元側に軸方向に延びる導電棒５が連結されている。例えば、導電棒５は、金属棒，小径のコイルバネ，若しくは炭素繊維強化樹脂製棒等の導電性の細棒であり、その竿元側の端部は球状に加工してもよい。この導電棒５は穂先竿Ｒ内に穂先側から挿入される。導電棒５は穂先竿Ｒの内周面に接触しない程度の径に設定される。そして、穂先側の端部は上述のように電源４に電源ラインによって電気的に連結されている。なお、導電棒５から本体部１への漏電を防止するために、穂先竿Ｒの穂先側端部付近に絶縁ゴムを配置してもよい。
【００２４】
一方、本体部１自体は上述のように絶縁製のプラスチック等から形成されている。本体部１の背面側若しくは側面には竿体ラインが設けられる。この竿体ラインは穂先竿Ｒと発光体６とを電気的に連結する。もっとも、本体部１全体を導電素材から形成して竿体ラインとしてもよい。この場合、上述の電源ラインを電気的に絶縁分離する必要がある。
【００２５】
このような釣竿では、図２に示すように、元竿の周面に配置されるリールシートに装着したリールからの釣糸Ｌがトップガイド１０に至り、釣糸Ｌは、硬質リング３を挿通して水中に至っている。釣糸Ｌの先端に連結される仕掛けに魚が係っていない際には、導電棒５は、図２に示すように、穂先竿Ｒの内周面に接触しておらず、切断状態となっている。
【００２６】
仕掛けに魚が係って魚から釣糸Ｌに力が加わると、これに応じて釣糸Ｌから硬質リング３を介して、トップガイド１０及び穂先竿Ｒに力が加わる。そして、小径の穂先竿Ｒは屈曲することになる。穂先竿Ｒが屈曲すると、導電棒５は炭素繊維強化樹脂製の穂先竿Ｒの内周面に接触して通電状態となる。即ち、発光体６から延びる電源ラインの最終端である導電棒５の竿元側端部が穂先竿Ｒに接触すると、穂先竿Ｒから竿体ラインを介して発光体６へと通電する。この通電状態において電源４からの電気の供給を受けた発光体６が発光し、発光体６が釣人に仕掛けに魚が係ったことを知らしめる。即ち、釣竿が魚の「当たり」を検知し、その「当たり」毎に発光体が発光して釣人に「当たり」を通知する。従って、釣人は微妙な「当たり」も夜間において認知でき、魚を的確に釣り上げることができる。
［第２実施形態］
本発明の第２実施形態を図３に示す。
【００２７】
この釣竿も、第１実施形態と同様に、穂先竿Ｒの穂先側端部にトップガイド２０が装着されている。
トップガイド２０は、リールからの釣糸Ｌを釣竿の最も穂先側において案内するための部材であって、穂先竿Ｒの穂先側に連結される軸方向に平行な本体部１１と、本体部１１の穂先側に揺動自在に連結されつつ斜方向に起立しており貫通孔が設けられている起立部１２と、起立部１２の貫通孔にはめ込まれ釣糸Ｌが挿通可能な硬質リング１３と、本体部１１に配置される一対の電源１４と、本体部１１内に収納された発光体１６とを有している。
【００２８】
本体部１１は、第１実施形態と同様に、左右方向に扁平した略パイプ状部材であって、穂先竿Ｒの穂先側に連結されている。本体部１１の穂先側部分は上方に開口しており、この開口に所定のカバーで蓋をするような構造になっている。また、本体部１１の穂先側端部には左右方向に回動軸が配置されており、回動軸の穂先側は斜め上方に折り曲げられて受け部１１ａとなっている。
【００２９】
起立部１２は上記第１実施形態と同様の形状であって、頭端側に円形の貫通孔が板面に直交する方向に貫通している。起立部１２の基端側は回動軸を介して本体部１１に連結されている。必要に応じて、起立部１２の基端側には、板バネなどの付勢バネが装着されており、起立部１２は竿元側に起きあがるように付勢されている。起立部１２の穂先側面の基端部（受け部１１ａに対向する面）には、電通板が装着され、この電通板は発光体１６に電気的に連結されている。
【００３０】
一方、上述の本体部１１にはカバーで蓋をされた内部に収納空間があり、電源１４と、発光体１６とが収納されている。第１実施形態と同様に、電源１４は例えば、１組のボタン型電池である。この１組のボタン型電池は電源ラインにより直列に連結されており、電源ラインは、発光体１６から電源１４を直列に連結し、本体部１１の底面若しくは側面を通って穂先側端部の受け部１１ａに至っている。
【００３１】
このような釣竿では、図３に示すように、元竿の周面に配置されるリールシートに装着したリールからの釣糸Ｌがトップガイド２０に至り、釣糸Ｌは、硬質リング１３を挿通して水中に至っている。釣糸Ｌの先端に連結される仕掛けに魚が係っていない際には、所定の付勢バネによって起立部１２は竿元側に起きあがっており、従って、受け部１１ａと導電板とは接触していない（切断状態となっている）。
【００３２】
仕掛けに魚が係って魚から釣糸Ｌに力が加わると、これに応じて釣糸Ｌから硬質リング３に力が加わり、起立部１２は穂先側に倒れて受け部１１ａが起立部１２を受ける。そして、受け部１１ａと導電板とが接触して通電状態となる。この通電状態において電源１４からの電気の供給を受けた発光体１６が発光し、発光体１６が釣人に仕掛けに魚が係ったことを知らしめる。
［第３実施形態］
第３実施形態を図４に示す。この釣竿は、いわゆる延べ竿であり、最も穂先側に位置する穂先竿Ｒの穂先側端部に穂先部材３０が装着されている。
【００３３】
穂先部材３０は、穂先竿Ｒの穂先側に連結される軸方向に平行な本体部３１と、本体部３１の穂先側に形成され釣糸Ｌを連結するための釣糸連結部３２とを有し、さらに、本体部１１に配置される一対の電源３４と、本体部から竿元側に延びる導電棒３５と、本体部１内に収納された発光体３６とを有している。
本体部３１は、左右方向に扁平した略パイプ状部材であって、穂先竿Ｒの穂先側に連結されている。例えば、本体部１は硬質合成樹脂から形成され、その竿元側端部に穂先竿Ｒが挿入された状態で穂先竿Ｒの穂先側端部に装着されている。本体部３１の穂先側端部は小径に縊れた首部とその先端に脱着自在に連結される円盤部とが形成される。この首部に釣糸Ｌを結びつけて釣りをおこなうことになり、この首部及び円盤部が釣糸連結部３２を形成している。
【００３４】
その他の構造は、上記第１実施形態と同様であり、説明を省略する。
このような釣竿でも、仕掛けに魚が係って釣糸Ｌから穂先部材３０・穂先竿Ｒに力が加わって、穂先竿Ｒが湾曲乃至振動すると、導電棒３５が穂先竿Ｒの内周面に接触して、発光体３６が発光する。
［他の実施形態］
なお、上記の実施形態では、仕掛けに魚が係った際に揺動する可動部として、導電棒５若しくは起立部１２を用いた場合を例示しているが、これに限定されるものではない。
【００３５】
【発明の効果】
本発明に係る釣竿では、魚が仕掛けに係った際に、発光体が発光し釣人に魚が仕掛けに係ったことを知らしめる。従って、釣人は夜間等でも容易に釣りをおこなうことができる。
特に、竿体若しくはトップガイド自体の一部を利用して、これらを電源回路乃至スイッチとすることで、構造が簡素化され製造も容易になる。また、釣竿の穂先側端部が不当に重くなってしまうこともない。
【図面の簡単な説明】
【図１】本発明の第１実施形態を採用した釣竿の穂先側の上面図。
【図２】本発明の第１実施形態を採用した釣竿の側面からみた断面図。
【図３】本発明の第２実施形態を採用した釣竿の図２に相当する図。
【図４】本発明の第３実施形態を採用した釣竿の図２に相当する図。
【符号の説明】
Ｒ  穂先竿
Ｌ  釣糸
１０，２０  トップガイド
１，１１  本体部
２，１２  起立部
３，１３  電源
６，１６  発光体
【図１】
2004350531.tif 000003
【図２】
2004350531.tif 000004
【図３】
2004350531.tif 000005
【図４】
2004350531.tif 000006